(57)【要約】【課題】摩擦クラッチを流量制御するとき、目標ストロークへの収束応答性の向上を図ることができると共に、実ストロークを目標ストロークに向かって変化させる過渡状態での伝達トルク精度を向上させることができるハイブリッド車両の制御装置を提供すること。【解決手段】駆動系に、エンジンEngと、第１クラッチCL1と、モータ/ジェネレータMGを有し、第１クラッチCL1の締結/開放制御時、油圧アクチュエータ１４の動作量である実ストロークを目標ストロークに一致させる流量制御を行う第１クラッチコントローラ５を備えている。このＦＲハイブリッド車両において、クラッチ制御手段（図５）は、ストローク−レリーズ力特性から目標ストロークと実ストロークの定常偏差特性を推定し、制御基準とする目標ストロークの基準点で定常偏差がゼロになるように定常偏差特性をチューニングし、基準点からの目標ストロークが変化するクラッチ制御時、チューニングした定常偏差特性に基づいて目標ストロークを補正する。【選択図】図５
2010167798.tif 000002
【特許請求の範囲】
【請求項１】
駆動系に、エンジンと、モータと、前記エンジンと前記モータの間に介装した摩擦クラッチを有し、前記摩擦クラッチの締結/開放制御時、クラッチアクチュエータの動作量である実ストロークを目標ストロークに一致させる流量制御を行うクラッチ制御手段を備えたハイブリッド車両の制御装置において、
前記クラッチアクチュエータの実ストロークを検出するアクチュエータストローク検出手段を設け、
前記クラッチ制御手段は、ストローク−クラッチ動作荷重特性から目標ストロークと実ストロークの定常偏差特性を推定し、制御基準とする目標ストロークの基準点で定常偏差がゼロになるように前記定常偏差特性をチューニングし、基準点からの目標ストロークが変化するクラッチ制御時、前記チューニングした定常偏差特性に基づいて目標ストロークを補正することを特徴とするハイブリッド車両の制御装置。
【請求項２】
請求項１に記載されたハイブリッド車両の制御装置において、
前記クラッチ制御手段は、前記基準点で定常偏差がゼロになるようにチューニングした定常偏差特性を定常偏差特性マップとして設定し、目標ストロークが基準点のとき、目標ストロークと実ストロークに定常偏差の発生があると、前記定常偏差特性マップの全体を発生した定常偏差分だけオフセット修正し、基準点からの目標ストロークが変化するクラッチ制御時、前記オフセット修正した定常偏差特性マップに基づいて目標ストロークを学習補正することを特徴とするハイブリッド車両の制御装置。
【請求項３】
請求項１または請求項２に記載されたハイブリッド車両の制御装置において、
前記クラッチ制御手段は、ストローク−クラッチ動作荷重特性から、クラッチ動作荷重と各ストローク位置での傾きの積による算出にて目標ストロークと実ストロークの定常偏差特性を推定することを特徴とするハイブリッド車両の制御装置。
【請求項４】
請求項１から請求項３までの何れか１項に記載されたハイブリッド車両の制御装置において、
前記クラッチ制御手段は、制御基準とする目標ストロークの基準点を、クラッチ制御が定常状態に入ったときの目標ストロークであるスタンバイストロークの位置に決定し、この基準点の決定を、クラッチ制御が定常状態に入る毎に行うことを特徴とするハイブリッド車両の制御装置。
【請求項５】
請求項１から請求項４までの何れか１項に記載されたハイブリッド車両の制御装置において、
前記摩擦クラッチは、前記クラッチアクチュエータのストローク量がゼロのとき皿バネによる付勢力にて締結状態であり、ストローク量の増大により開放側へと移行するノーマルクローズの乾式クラッチであり、
前記クラッチ制御手段は、前記基準点に対して締結側の目標ストロークと実ストロークの定常偏差特性を、開放→締結のストローク−レリーズ力特性から推定し、前記基準点に対して開放側の目標ストロークと実ストロークの定常偏差特性を、締結→開放のストローク−レリーズ力特性から推定することを特徴とするハイブリッド車両の制御装置。
【発明の詳細な説明】
【技術分野】
【０００１】
本発明は、エンジンとモータの間に摩擦クラッチを設定した駆動系を備えるハイブリッド車両の制御装置に関する。
【背景技術】
【０００２】
従来、乾式クラッチ（摩擦クラッチの一例）の摩耗量補正装置は、クラッチディスク（フェーシング）をフライホイールに係合させるためのプレッシャープレートを弾発的に押圧するダイヤフラムスプリングに負性バネ特性を持たせ、レリーズストロークの増大と共に、リターンスプリングのバネ力よりもダイヤフラムスプリングのバネ力を減少させていた。また、その負性バネ特性領域の途中でのリターンスプリングのバネ力との交点でクラッチ断状態に切り替えていた。更に、フェーシングの摩耗量に追従して変位可能な摩耗検出センサを設け、摩耗検出センサの移動した量だけレリーズ時に補正リングを変位させて、ダイヤフラム受け部によるダイヤフラムスプリングの支持位置を補正し、相対位置関係が変化しないようにすることにより、押し付け荷重の変化を防止していた（特許文献１参照）。
【先行技術文献】
【特許文献】
【０００３】
【特許文献１】特開平9-112571号公報
【発明の概要】
【発明が解決しようとする課題】
【０００４】
しかしながら、従来の乾式クラッチの摩耗量補正装置にあっては、ダイヤフラムスプリングとフェーシングとの間に、略コ字状断面形状にて環状に形成された摩耗検出センサが設けられており、摩耗検出センサの移動した量だけレリーズ時に補正リングを変位させ、ダイヤフラム受け部によるダイヤフラムスプリングの支持位置を補正していたため、機械的に調整する機構が必要となり、レイアウト性が悪化する上、複雑な構成とする必要がある、という問題があった。
【０００５】
また、従来装置は、乾式クラッチを流量制御で残る定常偏差に対しては、特別な対処をしていない。このため、乾式クラッチを流量制御する際、過渡状態から目標ストロークに収束するときに定常偏差が残ってしまい、収束が非常に遅くなるし、過渡状態での伝達トルク精度も低くなる、という問題があった。
【０００６】
本発明は、上記問題に着目してなされたもので、摩擦クラッチを流量制御するとき、目標ストロークへの収束応答性の向上を図ることができると共に、実ストロークを目標ストロークに向かって変化させる過渡状態での伝達トルク精度を向上させることができるハイブリッド車両の制御装置を提供することを目的とする。
【課題を解決するための手段】
【０００７】
上記目的を達成するため、本発明のハイブリッド車両の制御装置は、駆動系に、エンジンと、モータと、前記エンジンと前記モータの間に介装した摩擦クラッチを有し、前記摩擦クラッチの締結/開放制御時、クラッチアクチュエータの動作量である実ストロークを目標ストロークに一致させる流量制御を行うクラッチ制御手段を備えている。
このハイブリッド車両の制御装置において、前記クラッチアクチュエータの実ストロークを検出するアクチュエータストローク検出手段を設ける。そして、前記クラッチ制御手段は、ストローク−クラッチ動作荷重特性から目標ストロークと実ストロークの定常偏差特性を推定し、制御基準とする目標ストロークの基準点で定常偏差がゼロになるように前記定常偏差特性をチューニングし、基準点からの目標ストロークが変化するクラッチ制御時、前記チューニングした定常偏差特性に基づいて目標ストロークを補正する。
【発明の効果】
【０００８】
よって、本発明のハイブリッド車両の制御装置にあっては、ストローク−クラッチ動作荷重特性から目標ストロークと実ストロークの定常偏差特性が推定され、制御基準とする目標ストロークの基準点で定常偏差がゼロになるように定常偏差特性がチューニングされる。そして、基準点からの目標ストロークが変化するクラッチ制御時、チューニングした定常偏差特性に基づいて目標ストロークが補正される。
すなわち、摩擦クラッチの場合、例えば、新品の初期状態においても、個体バラツキ等により、目標ストロークの変化に対して定常偏差（目標ストロークと実ストロークの差）が非線形特性により変化する。これに対し、基準点からの目標ストロークが変化するクラッチ制御時、定常偏差特性から得られる定常偏差量により目標ストロークが補正される。このため、実ストロークが目標ストロークに収束するとき、補正無しのときに残る定常偏差が減少する。さらに、実ストロークを目標ストロークに向かって変化させる過渡状態では、摩擦クラッチの伝達トルクのうち、補正無しのときに生じる定常偏差分のトルク誤差が減少する。
この結果、摩擦クラッチを流量制御するとき、目標ストロークへの収束応答性の向上を図ることができると共に、実ストロークを目標ストロークに向かって変化させる過渡状態での伝達トルク精度を向上させることができる。
【図面の簡単な説明】
【０００９】
【図１】実施例１の制御装置が適用された後輪駆動によるＦＲハイブリッド車両（ハイブリッド車両の一例）を示す全体システム図である。
【図２】実施例１の制御装置が適用されたＦＲハイブリッド車両の統合コントローラ１０にて実行される演算処理を示す制御ブロック図である。
【図３】ＦＲハイブリッド車両の統合コントローラ１０でのモード選択処理を行う際に用いられるEV-HEV選択マップを示す図である。
【図４】実施例１の制御装置が適用されたＦＲハイブリッド車両の第１クラッチCL1の完全開放モード・半クラッチモード・完全締結モードの各状態でのクラッチ概要とモード管理のためのピストンストロークに対する油圧・トルク特性を示す図である。
【図５】実施例１の制御装置が適用されたＦＲハイブリッド車両の第１クラッチコントローラ５にて実行される第１クラッチ制御処理の流れを示すフローチャートである。
【図６】乾式クラッチにおけるピストンストロークに対するレリーズ力の関係特性とピストンストロークに対する定常偏差の関係特性を示す特性図である。
【図７】乾式クラッチにおける目標ストロークに対する定常偏差特性とバネ特性を示す実験データグラフ図である。
【図８】乾式クラッチにおけるピストンストロークに対するレリーズ力の関係特性とピストンストロークに対する定常偏差の関係特性が基準点に対して締結側と基準点に対して開放側とでヒステリシスを持つことを示す特性図である。
【図９】新品状態の乾式クラッチにおける目標ストロークに対するピストン油圧特性と目標ストロークに対する定常偏差特性を示す図である。
【図１０】摩耗状態の乾式クラッチにおける目標ストロークに対するピストン油圧特性と目標ストロークに対する定常偏差特性を示す図である。
【発明を実施するための形態】
【００１０】
以下、本発明のハイブリッド車両の制御装置を実現する最良の形態を、図面に示す実施例１に基づいて説明する。
【実施例１】
【００１１】
まず、構成を説明する。
図１は、実施例１の制御装置が適用された後輪駆動によるＦＲハイブリッド車両（ハイブリッド車両の一例）を示す全体システム図である。
【００１２】
実施例１におけるＦＲハイブリッド車両の駆動系は、図１に示すように、エンジンEngと、フライホイールFWと、第１クラッチCL1（摩擦クラッチ）と、モータ/ジェネレータMG（モータ）と、第２クラッチCL2と、自動変速機ATと、プロペラシャフトPSと、ディファレンシャルDFと、左ドライブシャフトDSLと、右ドライブシャフトDSRと、左後輪RLと、右後輪RRと、を有する。なお、FLは左前輪、FRは右前輪である。
【００１３】
前記エンジンEngは、希薄燃焼機能を持つガソリンエンジンやディーゼルエンジンであり、エンジンコントローラ１からのエンジン制御指令に基づいて、エンジン始動制御やエンジン停止制御やスロットルバルブのバルブ開度制御やフューエルカット制御等が行われる。なお、エンジン出力軸には、フライホイールFWが設けられている。
【００１４】
前記第１クラッチCL1は、エンジンEngとモータ/ジェネレータMGの間に介装された摩擦クラッチであり、第１クラッチコントローラ５からの第１クラッチ制御指令に基づいて、第１クラッチ油圧ユニット６により作り出された第１クラッチ制御油圧により、スリップ締結状態を含み締結/開放が制御される。この第１クラッチCL1としては、例えば、CSCピストン１４ａ（CSCは、「Concentric Slave Cylinder」の略）を有する油圧アクチュエータ１４により締結/開放が制御されるノーマルクローズの乾式単板クラッチが用いられる。
【００１５】
前記モータ/ジェネレータMGは、ロータに永久磁石を埋設しステータにステータコイルが巻き付けられた同期型モータ/ジェネレータであり、モータコントローラ２からの制御指令に基づいて、インバータ３により作り出された三相交流を印加することにより制御される。このモータ/ジェネレータMGは、バッテリ４からの電力の供給を受けて回転駆動する電動機として動作することもできるし（以下、この動作状態を「力行」と呼ぶ）、ロータがエンジンEngや駆動輪から回転エネルギを受ける場合には、ステータコイルの両端に起電力を生じさせる発電機として機能し、バッテリ４を充電することもできる（以下、この動作状態を「回生」と呼ぶ）。なお、このモータ/ジェネレータMGのロータは、ダンパーを介して自動変速機ATの入力軸に連結されている。
【００１６】
前記第２クラッチCL2は、モータ/ジェネレータMGと左右後輪RL,RRの間に介装されたクラッチであり、ＡＴコントローラ７からの第２クラッチ制御指令に基づいて、第２クラッチ油圧ユニット８により作り出された制御油圧により、スリップ締結とスリップ開放を含み締結/開放が制御される。なお、第１クラッチ油圧ユニット６と第２クラッチ油圧ユニット８は、自動変速機ATに付設されるAT油圧コントロールバルブユニットCVUに内蔵している。この第２クラッチCL2としては、例えば、比例ソレノイドで油流量および油圧を連続的に制御できるノーマルオープンの湿式多板クラッチや湿式多板ブレーキが用いられる。
【００１７】
前記自動変速機ATは、例えば、前進７速/後退１速等の有段階の変速段を車速やアクセル開度等に応じて自動的に切り換える有段変速機であり、前記第２クラッチCL2は、専用クラッチとして新たに追加したものではなく、自動変速機ATの各変速段にて締結される複数の摩擦締結要素のうち、トルク伝達経路に配置される最適なクラッチやブレーキを選択している。そして、前記自動変速機ATの出力軸は、プロペラシャフトPS、ディファレンシャルDF、左ドライブシャフトDSL、右ドライブシャフトDSRを介して左右後輪RL,RRに連結されている。
【００１８】
このハイブリッド駆動系は、第１クラッチCL1の締結/開放状態に応じて、電気自動車走行モード（以下、「EVモード」という。）とハイブリッド車走行モード（以下、「HEVモード」という。）の２つの走行モードを有する。「EVモード」は、第１クラッチCL1を開放状態とし、モータ/ジェネレータMGを動力源として走行するモードである。「HEVモード」は、第１クラッチCL1を締結状態とし、エンジンEngとモータ/ジェネレータMGを動力源として走行するモードである。
【００１９】
次に、ハイブリッド車両の制御系を説明する。
実施例１におけるＦＲハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。なお、エンジンコントローラ１と、モータコントローラ２と、第１クラッチコントローラ５と、ＡＴコントローラ７と、ブレーキコントローラ９と、統合コントローラ１０とは、情報交換が互いに可能なＣＡＮ通信線１１を介して接続されている。
【００２０】
前記エンジンコントローラ１は、エンジン回転数センサ１２からのエンジン回転数情報と、統合コントローラ１０からの目標エンジントルク指令と、他の必要情報を入力する。そして、エンジン動作点（Ne,Te）を制御する指令を、エンジンEngのスロットルバルブアクチュエータ等へ出力する。
【００２１】
前記モータコントローラ２は、モータ/ジェネレータMGのロータ回転位置を検出するレゾルバ１３からの情報と、統合コントローラ１０からの目標MGトルク指令および目標MG回転数指令と、他の必要情報を入力する。そして、モータ/ジェネレータMGのモータ動作点（Nm,Tm）を制御する指令をインバータ３へ出力する。なお、このモータコントローラ２では、バッテリ４の充電状態をあらわすバッテリSOCを監視していて、このバッテリSOC情報は、モータ/ジェネレータMGの制御情報に用いられると共に、ＣＡＮ通信線１１を介して統合コントローラ１０へ供給される。
【００２２】
前記第１クラッチコントローラ５は、油圧アクチュエータ１４のCSCピストン１４ａのストローク位置を検出する第１ピストンストロークセンサ１５（アクチュエータストローク検出手段）からのセンサ情報と、統合コントローラ１０からの目標CL1トルク指令と、他の必要情報を入力する。そして、第１クラッチCL1の締結/開放を制御する指令をAT油圧コントロールバルブユニットCVU内の第１クラッチ油圧ユニット６に出力する。
【００２３】
前記ATコントローラ７は、アクセル開度センサ１６と、車速センサ１７と、他のセンサ・スイッチ類１８からの情報を入力する。そして、Ｄレンジを選択しての走行時、アクセル開度APOと車速VSPにより決まる運転点がシフトマップ上で存在する位置により最適な変速段を検索し、検索された変速段を得る制御指令をAT油圧コントロールバルブユニットCVUに出力する。なお、シフトマップとは、アクセル開度と車速に応じてアップシフト線とダウンシフト線を書き込んだマップをいう。
上記自動変速制御に加えて、統合コントローラ１０から目標CL2トルク指令を入力した場合、第２クラッチCL2の締結/開放を制御する指令をAT油圧コントロールバルブユニットCVU内の第２クラッチ油圧ユニット８に出力する第２クラッチ制御を行う。
【００２４】
前記ブレーキコントローラ９は、４輪の各車輪速を検出する車輪速センサ１９と、ブレーキストロークセンサ２０からのセンサ情報と、統合コントローラ１０からの回生協調制御指令と、他の必要情報を入力する。そして、例えば、ブレーキ踏み込み制動時、ブレーキストロークBSから求められる要求制動力に対し回生制動力だけでは不足する場合、その不足分を機械制動力（液圧制動力やモータ制動力）で補うように、回生協調ブレーキ制御を行う。
【００２５】
前記統合コントローラ１０は、車両全体の消費エネルギを管理し、最高効率で車両を走らせるための機能を担うもので、モータ回転数Nmを検出するモータ回転数センサ２１と、第２クラッチ出力回転数N2outを検出する第２クラッチ出力回転数センサ２２等からの情報およびＣＡＮ通信線１１を介して情報を入力する。そして、エンジンコントローラ１へ目標エンジントルク指令、モータコントローラ２へ目標MGトルク指令および目標MG回転数指令、第１クラッチコントローラ５へ目標CL1トルク指令、ＡＴコントローラ７へ目標CL2トルク指令および目標変速段指令、ブレーキコントローラ９へ回生協調制御指令を出力する。
【００２６】
図２は、実施例１の制御装置が適用されたＦＲハイブリッド車両の統合コントローラ１０にて実行される演算処理を示す制御ブロック図である。図３は、ＦＲハイブリッド車両の統合コントローラ１０でのモード選択処理を行う際に用いられるEV-HEV選択マップを示す図である。以下、図２及び図３に基づき、実施例１の統合コントローラ１０にて実行される演算処理を説明する。
【００２７】
前記統合コントローラ１０は、図２に示すように、目標駆動力演算部100と、モード選択部200と、目標充放電演算部300と、動作点指令部400とを有する。
【００２８】
前記目標駆動力演算部100では、目標駆動力マップを用いて、アクセル開度APOと車速VSPとから、目標駆動力tFoOを演算する。
【００２９】
前記モード選択部200では、図３に示すEV-HEV選択マップを用いて、アクセル開度APOと車速VSPとから、「EVモード」または「HEVモード」を目標走行モードとして選択する。但し、バッテリSOCが所定値以下であれば、強制的に「HEVモード」を目標走行モードとする。
【００３０】
前記目標充放電演算部300では、目標充放電量マップを用いて、バッテリSOCから目標充放電電力tPを演算する。
【００３１】
前記動作点指令部400では、アクセル開度APOと、目標駆動力tFoOと、目標走行モードと、車速VSPと、目標充放電電力tP等の入力情報に基づき、動作点到達目標として、目標エンジントルクと目標MGトルクと目標MG回転数と目標CL1トルクと目標CL2トルクと目標変速段を演算する。そして、目標エンジントルク指令と目標MGトルク指令と目標MG回転数指令と目標CL1トルク指令と目標CL2トルク指令と目標変速段指令を、ＣＡＮ通信線１１を介して各コントローラ１，２，５，７に出力する。
【００３２】
図４は、実施例１の制御装置が適用されたＦＲハイブリッド車両の第１クラッチCL1の完全開放モード・半クラッチモード・完全締結モードの各状態でのクラッチ概要とモード管理のためのピストンストロークに対する油圧・トルク特性を示す図である。
【００３３】
まず、第１クラッチCL1は、図４に示すように、フライホイール４０と、プレッシャープレート４１と、クラッチディスク４２と、クラッチフェーシング４３，４４と、クラッチカバー４５と、ダイヤフラムスプリング４６と、スプリング支持部４７と、レリーズプレート４８と、CSCピストン１４ａを有する油圧アクチュエータ１４と、を有して構成されている。そして、第１クラッチCL1の締結/開放制御時、油圧アクチュエータ１４のCSCピストン１４ａの動作量である実ピストンストロークを目標ピストンストロークに一致させる流量制御が行われる。
【００３４】
完全開放モード状態（＝「EVモード」状態）での第１クラッチCL1は、図４の左部に示すように、プレッシャープレート４１に対するダイヤフラムスプリング４６からのバネ力の作用が解除され、クラッチ開放状態となる。そして、モード管理のためのピストンストロークに対する油圧・トルク特性は、ピストンストロークが最大位置となり、このとき油圧は最大で、トルク（クラッチ容量）はゼロとなる。
【００３５】
半クラッチモード状態（＝「EVモード」からのエンジン始動状態）での第１クラッチCL1は、図４の中央部に示すように、プレッシャープレート４１に対するダイヤフラムスプリング４６からのバネ力の一部が解除され、クラッチ半締結状態となる。そして、モード管理のためのピストンストロークに対する油圧・トルク特性は、ピストンストロークが中間位置となり、このとき油圧は最大油圧より低圧で、トルク（クラッチ容量）はクラッチ滑りが出るレベルとなる。
【００３６】
完全締結モード状態（＝「HEVモード」状態）での第１クラッチCL1は、図４の右部に示すように、プレッシャープレート４１に対してダイヤフラムスプリング４６からのバネ力が作用し、クラッチ締結状態となる。そして、モード管理のためのピストンストロークに対する油圧・トルク特性は、ピストンストロークが最小位置となり、このとき油圧は最小で、トルク（クラッチ容量）は最大となる。
【００３７】
図５は、実施例１の制御装置が適用されたＦＲハイブリッド車両の第１クラッチコントローラ５にて実行される第１クラッチ制御処理の流れを示すフローチャートである（クラッチ制御手段）。以下、図５の各ステップについて説明する。
【００３８】
まず、第１クラッチコントローラ５では、開放→締結のストローク−レリーズ力特性と締結→開放のストローク−レリーズ力特性から、レリーズ力と各ストローク位置での傾き（ゲイン）の積による算出にて目標ストロークと実ストロークの開放→締結の定常偏差特性と締結→開放の定常偏差特性を推定し、この２つの特性を開放→締結定常偏差特性マップと締結→開放定常偏差特性マップとして保有している。そして、制御基準とする目標ストロークの基準点を、前回のクラッチ制御が定常状態に入った時点での目標ストロークをスタンバイストロークの位置とし、前回のクラッチ制御が定常状態に入った時点で基準点を決め、基準点で定常偏差がゼロになるように、前記２つの定常偏差特性マップのチューニングを実施し、新たなクラッチ制御に備えている。
【００３９】
ステップS101では、目標ストロークが基準点のとき（例えば、第１クラッチCL1のクラッチ制御開始時）、目標ストロークと実ストロークに偏差があるか否かを判断し、Yes（定常偏差有り）の場合はステップS102へ進み、No（定常偏差無し）の場合はステップS103へ進む。
【００４０】
ステップS102では、ステップS101での基準点で定常偏差有りとの判断に続き、基準点での定常偏差は、第１クラッチCL1の長期使用による摩耗や劣化等によるダイヤフラムスプリング４６のバネ特性の変動に起因する偏差であるため、設定されている２つの定常偏差特性マップの全体を基準点で生じた定常偏差分だけオフセットし、ステップS103へ進む。
【００４１】
ステップS103では、ステップS101での定常偏差無しとの判断、あるいは、ステップS102での定常偏差特性マップのオフセット処理に続き、基準点からの目標ストロークが変わったか否かを判断し、Yes（目標ストローク変化有り）の場合はステップS104へ進み、No（目標ストローク変化無し）の場合はステップS103の判断を繰り返す。
【００４２】
ステップS104では、ステップS103での目標ストローク変化有りとの判断に続き、開放→締結側の目標ストローク変化であるか締結→開放側の目標ストローク変化であるかを判断し、２つの定常偏差特性マップから補正に用いる定常偏差特性マップを選択する。そして、選択した定常偏差特性マップ（オフセットマップ含む）から目標ストロークの定常偏差を読み取り、ステップS105へ進む。
【００４３】
ステップS105では、ステップS104での目標ストロークの定常偏差読み取りに続き、補正目標ストロークを、（補正目標ストローク＝目標ストローク＋読み取った定常偏差）の式により演算し、ステップS106へ進む。
【００４４】
ステップS106では、ステップS105での補正目標ストロークの演算に続き、補正目標ストロークを得る指令を第１クラッチ油圧ユニット６へ出力し、エンドへ進む。
【００４５】
次に、作用を説明する。
実施例１のＦＲハイブリッド車両の制御装置における作用を、「第１クラッチの定常偏差補正の考え方」、「定常偏差特性マップによる目標ストローク補正作用」、「定常偏差特性マップによる目標ストローク学習補正作用」、「ハイブリッドシステムにおける効用」に分けて説明する。
【００４６】
［第１クラッチの定常偏差補正の考え方］
図６は、乾式クラッチにおけるピストンストロークに対するレリーズ力の関係特性とピストンストロークに対する定常偏差の関係特性を示す特性図である。図７は、乾式クラッチにおける目標ストロークに対する定常偏差特性とバネ特性を示す実験データグラフ図である。図８は、乾式クラッチにおけるピストンストロークに対するレリーズ力の関係特性とピストンストロークに対する定常偏差の関係特性が基準点に対して締結側と基準点に対して開放側とでヒステリシスを持つことを示す特性図である。以下、図６〜図８に基づいて、第１クラッチCL1の定常偏差補正の考え方を説明する。
【００４７】
乾式クラッチにおけるストロークに対するレリーズ力の関係特性は、図６の上部に示すように、ダイヤフラムスプリング４６のバネ特性に依存し、ストローク量が小さい領域では比例特性を示すが、ストローク量が大きくなると山なりに低下する非線形特性を示す。そして、ピストンストロークの全域において、レリーズ力の差に比例した定常偏差が残り、ストロークに対する定常偏差特性は、図６の下部に示すように、レリーズ力×ゲイン（ストローク−レリーズ力特性の微分値）で算出されるカーブを描く。この定常偏差特性は、定常偏差の傾向をあらわすため、基準点で定常偏差＝０になるようにオフセットすると、基準点からの目標ストロークが変化したとき、目標ストロークに対する定常偏差量が推定できる。
【００４８】
上記のように、乾式クラッチを流量制御する場合、ある基準点のレリーズ力と、別のストロークでのレリーズ力との差に応じた定常偏差が残ることが、図７に示す乾式クラッチにおける目標ストロークに対する定常偏差特性とバネ特性を示す実験データからも証明されている。
【００４９】
したがって、定常偏差特性で基準点となるストロークを決め、そこで定常偏差がないようにゲインチューニングをした上で、別のストロークを指令する場合、基準点でのストロークと別のストロークの皿バネ力の差から定常偏差量が推定できる。
【００５０】
このため、エンジン始動時等に別のストロークを指令する時、目標ストロークに対してストローク−バネ力特性に応じた定常偏差量を予め把握するため、定常偏差特性を定常偏差特性マップとして持っておく。また、基準点は、クラッチ制御が定常状態に入った際、そのときの目標ストローク（スタンバイストローク）により決め、クラッチ制御が定常状態に入る毎に基準点を更新し、基準点を更新したら基準点での定常偏差がゼロになるようにチューニングする。そして、クラッチ制御では、基準点からの目標ストロークに応じて、その定常偏差がなくなるように目標ストロークを修正する。
【００５１】
また、定常偏差量は、乾式クラッチの皿バネ（実施例１ではダイヤフラムスプリング４６）のヒステリシス特性にも影響する。つまり、ストロークに対するレリーズ力の関係特性は、図８の上部に示すように、基準点から開放側に移動する場合と、基準点から締結側に移動する場合とで異なり、レリーズ力の差が変わる。このため、ストロークに対する定常偏差の関係特性も、図８の下部に示すように、基準点に対して締結側と基準点に対して開放側とで変わる。したがって、目標ストロークの補正に用いる定常偏差特性マップは、乾式クラッチの皿バネのヒステリシス特性を考慮する必要がある。
【００５２】
［定常偏差特性マップによる目標ストローク補正作用］
図９は、新品状態の乾式クラッチにおける目標ストロークに対するピストン油圧特性と目標ストロークに対する定常偏差特性を示す図である。以下、図５および図９に基づいて、定常偏差特性マップによる目標ストローク補正作用を説明する。
【００５３】
目標ストロークが変化するクラッチ制御時であって、目標ストロークが基準点のときに定常偏差が無いとき、図５のフローチャートにおいて、ステップS101→ステップS103→ステップS104→ステップS105→ステップS106へと進む。つまり、ステップS104では、開放→締結側の目標ストローク変化であるか締結→開放側の目標ストローク変化により選択した定常偏差特性マップから目標ストロークの定常偏差が読み取られ、ステップS105では、（補正目標ストローク＝目標ストローク＋読み取った定常偏差）の式により補正目標ストロークが演算され、ステップS106では、補正目標ストロークを得る指令が第１クラッチ油圧ユニット６へ出力される。
【００５４】
すなわち、乾式単板クラッチである第１クラッチCL1の場合、例えば、新品の初期状態においても、図９に示すように、個体バラツキ等により、目標ストロークの変化に対し定常偏差（目標ストロークと実ストロークの差）が変化する特性を示す。
【００５５】
これに対し、実施例１では、基準点からの目標ストロークが変化するクラッチ制御時、定常偏差特性マップから得られる定常偏差量により目標ストロークが補正される。このため、実ストロークが目標ストロークに収束するとき、補正無しのときに残る定常偏差が減少し、定常偏差特性の推定精度が高いほど、目標ストロークに収束するときの定常偏差はゼロに近いものとなる。この結果、実ストロークが目標ストロークに収束するとき、収束応答性が向上することになる。
【００５６】
さらに、実ストロークを目標ストロークに向かって変化させる過渡状態では、第１クラッチCL1の伝達トルクのうち、補正無しのときに生じる定常偏差分のトルク誤差が減少し、定常偏差特性の推定精度が高いほど、トルク誤差はゼロに近いものとなる。この結果、実ストロークを目標ストロークに向かって変化させる過渡状態での伝達トルク精度が向上する。
【００５７】
また、実施例１では、前回のクラッチ制御において定常状態（目標ストロークへの収束完了）に入ったところで、その都度、基準点を決め、基準点で定常偏差がゼロとなるように定常偏差特性マップをゲインチューニングしている。したがって、クラッチ制御の開始ストローク位置が変わっても、安定して収束応答性の向上と過渡状態での伝達トルク精度の向上を達成することができる。
【００５８】
［定常偏差特性マップによる目標ストローク学習補正作用］
図１０は、摩耗状態の乾式クラッチにおける目標ストロークに対するピストン油圧特性と目標ストロークに対する定常偏差特性を示す図である。以下、図５および図１０に基づいて、定常偏差特性マップによる目標ストローク学習補正作用を説明する。
【００５９】
目標ストロークが変化するクラッチ制御時であって、目標ストロークが基準点のときに定常偏差が有るとき、図５のフローチャートにおいて、ステップS101→ステップS102→ステップS103→ステップS104→ステップS105→ステップS106へと進む。つまり、ステップS102では、設定されている２つの定常偏差特性マップの全体を基準点で生じた定常偏差分だけオフセット修正する。そして、ステップS104では、選択した定常偏差特性マップのオフセット修正マップから目標ストロークの定常偏差が読み取られ、ステップS105では、（補正目標ストローク＝目標ストローク＋読み取った定常偏差）の式により補正目標ストロークが演算され、ステップS106では、補正目標ストロークを得る指令が第１クラッチ油圧ユニット６へ出力される。
【００６０】
すなわち、乾式単板クラッチである第１クラッチCL1の場合、例えば、クラッチフェーシング４３，４４の摩耗が進行すると、レリーズ力が上昇するため、使用初期の新品状態で定常偏差がゼロになるようにゲインチューニングした基準点においても、図１０に示すように、定常偏差が発生するようになる。このため、実施例１では、基準点における定常偏差を学習し、定常偏差特性マップをオフセット修正するようにしている。したがって、第１クラッチCL1の長期使用によるフェーシング摩耗や経年劣化等によるダイヤフラムスプリング４６のバネ特性の変動に起因して定常偏差が生じた場合、この定常偏差に対応して精度良く定常偏差量を推定できる。言い換えると、バネ特性の変動に起因して定常偏差が生じたとしても、安定して収束応答性の向上と過渡状態での伝達トルク精度の向上を達成することができる。
【００６１】
［ハイブリッドシステムにおける効用］
実施例１のＦＲハイブリッド車両は、駆動系に、上流側からエンジンEng、第１クラッチCL1、モータ/ジェネレータMG、第２クラッチCL2を有する。そして、第１クラッチCL1を開放した「EVモード」での停止時や走行中、エンジン始動要求が出た場合、第２クラッチCL2を滑り締結し、モータ/ジェネレータMGをスタータモータとし、第１クラッチCL1を介して伝達されるモータトルクによりエンジンEngをクランキングし、エンジン始動して「HEVモード」にモード遷移するハイブリッドシステムとしている。この実施例１におけるハイブリッドシステムの場合、第１クラッチCL1の流量制御時、定常偏差を補正（学習補正を含む）することで、下記に述べるように、エンジン始動レスポンスの向上、燃費および耐久信頼性の向上、エンジン始動ショックの低減、という効用を得ることができる。
【００６２】
・エンジン始動レスポンスの向上
エンジン始動時の応答性を向上させるためには、「EVモード」でのCSCピストン１４ａの位置を、できるだけクラッチ締結開始位置に近い位置で、かつ、引き摺らない位置(＝理想のCSCピストン１４ａの待機位置)に待機させておいた方が、エンジン始動の指令が出た時にすぐに応答できる。
これに対し、定常偏差が残っている状態では、理想のCSCピストン１４ａの待機位置に対して、CSCピストン１４ａが離れてしまうため、その分だけクラッチ締結に必要なストローク量が増えてしまい、応答性が悪化する。
また、定常偏差が残ってしまった結果、エンジン始動時の第１クラッチCL1の伝達トルクが必要以上に小さくなってしまった場合、エンジンEngの回転上昇が遅くなってしまい、エンジン始動レスポンスが悪化する。
実施例１の定常偏差を補正（学習補正を含む）は、このエンジン始動レスポンス（応答性）を改善するのに有効である。
【００６３】
・燃費および耐久信頼性の向上
ハイブリッドシステムにおいて、「EVモード」中に第１クラッチCL1のドラッグトルク（空転摩擦トルク：発熱の要因になる）を無くすことは、モータ/ジェネレータMGの消費電力を低下させ、その結果、燃費が向上する。
これに対し、定常偏差が残ってしまった結果、CSCピストン１４ａの位置がクラッチ締結開始位置状態よりも締結寄りになってしまった場合、「EVモード」中にも常時、第１クラッチCL1のドラッグトルクが発生することになり、燃費が悪化する。
実施例１の定常偏差を補正（学習補正を含む）は、このドラッグトルクを無くすことに有効であり、ドラッグトルクを無くすことで、燃費が向上すると共に、第１クラッチCL1のクラッチディスクの摩耗量が減り、使用可能年数が高まり、耐久信頼性向上が図られる。
【００６４】
・エンジン始動ショックの低減
ハイブリッドシステムにおいて、エンジン始動ショックを低減するためには、第２クラッチCL2が十分にスリップした状態で第１クラッチCL1を締結し、第１クラッチCL1の締結によるモータ/ジェネレータMGの回転の引き込みを逃す必要がある。
これに対し、定常偏差が残ってしまった結果、CSCピストン１４ａの位置が理想のCSCピストン１４ａの待機位置に対して締結側に近い場合、エンジン始動時に第２クラッチCL2が十分なスリップをする前に第１クラッチCL1が締結してしまい、モータ/ジェネレータMGの回転の引き込みを逃がすことができなくなり、エンジンg始動ショックとして車両挙動に現れてしまう。
また、定常偏差が残ってしまった結果、エンジン始動時の第１クラッチCL1の伝達トルクが必要以上に大きくなってしまった場合、エンジン始動ショックとして車両挙動に現れてしまう。
実施例１の定常偏差を補正（学習補正を含む）は、このエンジン始動ショックを改善することに有効である。
【００６５】
次に、効果を説明する。
実施例１のＦＲハイブリッド車両の制御装置にあっては、下記に列挙する効果を得ることができる。
【００６６】
(1) 駆動系に、エンジンEngと、モータ（モータ/ジェネレータMG）と、前記エンジンEngと前記モータの間に介装した摩擦クラッチ（第１クラッチCL1）を有し、前記摩擦クラッチの締結/開放制御時、クラッチアクチュエータ（油圧アクチュエータ１４）の動作量である実ストロークを目標ストロークに一致させる流量制御を行うクラッチ制御手段（第１クラッチコントローラ）を備えたハイブリッド車両（ＦＲハイブリッド車両）の制御装置において、前記クラッチアクチュエータの実ストロークを検出するアクチュエータストローク検出手段（第１ピストンストロークセンサ１５）を設け、前記クラッチ制御手段（図５）は、ストローク−クラッチ動作荷重特性（ストローク−レリーズ力特性）から目標ストロークと実ストロークの定常偏差特性を推定し、制御基準とする目標ストロークの基準点で定常偏差がゼロになるように前記定常偏差特性をチューニングし、基準点からの目標ストロークが変化するクラッチ制御時、前記チューニングした定常偏差特性に基づいて目標ストロークを補正する。
このため、摩擦クラッチ（第１クラッチCL1）を流量制御するとき、目標ストロークへの収束応答性の向上を図ることができると共に、実ストロークを目標ストロークに向かって変化させる過渡状態での伝達トルク精度を向上させることができる。
【００６７】
(2) 前記クラッチ制御手段（図５）は、前記基準点で定常偏差がゼロになるようにチューニングした定常偏差特性を定常偏差特性マップとして設定し、目標ストロークが基準点のとき、目標ストロークと実ストロークに定常偏差の発生があると、前記定常偏差特性マップの全体を発生した定常偏差分だけオフセット修正し、基準点からの目標ストロークが変化するクラッチ制御時、前記オフセット修正した定常偏差特性マップに基づいて目標ストロークを学習補正する。
このため、摩擦クラッチ（第１クラッチCL1）の摩耗や経年劣化等によるバネ特性の変動に起因して定常偏差が生じたとしても、安定して収束応答性の向上と過渡状態での伝達トルク精度の向上を達成することができる。
【００６８】
(3) 前記クラッチ制御手段（図５）は、ストローク−クラッチ動作荷重特性（ストローク−レリーズ力特性）から、クラッチ動作荷重（レリーズ力）と各ストローク位置での傾き（ゲイン）の積による算出にて目標ストロークと実ストロークの定常偏差特性を推定した。
このため、クラッチ動作荷重（レリーズ力）の差に比例した定常偏差が残るのに対応し、定常偏差特性を簡単な演算により精度良く推定できる。
【００６９】
(4) 前記クラッチ制御手段（図５）は、制御基準とする目標ストロークの基準点を、クラッチ制御が定常状態に入ったときの目標ストロークであるスタンバイストロークの位置に決定し、この基準点の決定を、クラッチ制御が定常状態に入る毎に行う。
このため、基準点からの目標ストロークが変化するクラッチ制御時、目標ストロークでの定常偏差量を、定常偏差量がゼロとした基準点からの定常偏差特性値により精度良く推定することができると共に、クラッチ制御の開始ストローク位置が変わっても、安定して収束応答性の向上と過渡状態での伝達トルク精度の向上を達成することができる。
【００７０】
(5) 前記摩擦クラッチ（第１クラッチCL1）は、前記クラッチアクチュエータ（油圧アクチュエータ１４）のストローク量がゼロのとき皿バネ（ダイヤフラムスプリング４６）による付勢力にて締結状態であり、ストローク量の増大により開放側へと移行するノーマルクローズの乾式クラッチであり、前記クラッチ制御手段（図５）は、前記基準点に対して締結側の目標ストロークと実ストロークの定常偏差特性を、開放→締結のストローク−レリーズ力特性から推定し、前記基準点に対して開放側の目標ストロークと実ストロークの定常偏差特性を、締結→開放のストローク−レリーズ力特性から推定する。
このため、目標ストロークの補正に用いる定常偏差特性について乾式クラッチの皿バネのヒステリシス特性が考慮され、開放→締結ストロークを伴うクラッチ制御時にも締結→開放ストロークを伴うクラッチ制御時にも、目標ストロークでの定常偏差量を精度良く推定することができる。
【００７１】
以上、本発明のハイブリッド車両の制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００７２】
実施例１では、摩擦クラッチとして、ノーマルクローズの乾式単板クラッチによる第１クラッチCL1の例を示した。しかし、摩擦クラッチとしては、定常偏差がクラッチ制御に影響を与えるものであれば、例えば、ノーマルクローズの乾式多板クラッチやノーマルオープンの湿式多板クラッチ等であっても良い。
【００７３】
実施例１では、基準点をスタンバイストロークとしたが、定常偏差が無いようにチューニングさえすれば、どのストローク位置を基準点としても良い（図８参照）。
【産業上の利用可能性】
【００７４】
実施例１では、本発明の制御装置をＦＲハイブリッド車両の第１クラッチに適用する例を示したが、ＦＦハイブリッド車両や、自動変速機に代え動力分割機構を備えたパラレル型・コンバインド型・モータシスト型等の様々なタイプのハイブリッド車両の制御装置に対しても適用することができる。要するに、エンジンとモータの間に摩擦クラッチを介装した駆動系を備えたハイブリッド車両であれば適用できる。
【符号の説明】
【００７５】
Eng  エンジン
FW  フライホイール
CL1  第１クラッチ（摩擦クラッチ）
MG  モータ/ジェネレータ（モータ）
CL2  第２クラッチ
AT  自動変速機
PS  プロペラシャフト
DF  ディファレンシャル
DSL  左ドライブシャフト
DSR  右ドライブシャフト
RL  左後輪
RR  右後輪
FL  左前輪
FR  右前輪
５  第１クラッチコントローラ（クラッチ制御手段）
１４  油圧アクチュエータ（クラッチアクチュエータ）
１４ａ  CSCピストン
１５  第１ピストンストロークセンサ（アクチュエータストローク検出手段）
【図１】
2010167798.tif 000003
【図２】
2010167798.tif 000004
【図３】
2010167798.tif 000005
【図４】
2010167798.tif 000006
【図５】
2010167798.tif 000007
【図６】
2010167798.tif 000008
【図７】
2010167798.tif 000009
【図８】
2010167798.tif 000010
【図９】
2010167798.tif 000011
【図１０】
2010167798.tif 000012